(57)【特許請求の範囲】
【請求項１】
枠体形状の外装キャビネットを有する平面表示装置であって、外装キャビネットの少なくとも一辺の枠部は、光を反射する反射面を有する第１部材上に、光を透過する第２部材とこの第２部材より屈折率が小さい第３部材とを順次積層した飾り桟を有し、かつ前記飾り桟の第２部材の幅方向の端面に対向する部分に光を発生する発光ユニットを設けたことを特徴とする平面表示装置。
【請求項２】
前記外装キャビネットの飾り桟において、第２部材と第３部材とを押出し成形により形成したことを特徴とする請求項１記載の平面表示装置。
【請求項３】
前記外装キャビネットの飾り桟において、前記第１部材の反射面を金属により形成したことを特徴とする請求項１記載の平面表示装置。
【請求項４】
前記外装キャビネットの飾り桟において、第２部材と第３部材とを押出し成形により形成し、かつ前記押出し成形品と反射面を有する第１部材とは、飾り桟の幅方向において肉厚が連続的に変化する形状としたことを特徴とする請求項１記載の平面表示装置。
【請求項５】
枠体形状の外装キャビネットを有する平面表示装置であって、外装キャビネットは、押出し成形により形成した枠部と、この枠部を結合するコーナー部とで構成し、前記枠部のうち少なくとも一辺の枠部は、光を反射する反射面を有する第１部材上に、光を透過する第２部材とこの第２部材より屈折率が小さい第３部材とを順次積層した飾り桟を有し、かつ前記飾り桟の第２部材の端面に対向するコーナー部に光を発生する発光ユニットを配置したことを特徴とする平面表示装置。
【請求項６】
前記外装キャビネットの飾り桟において、第２部材と第３部材とを押出し成形により形成したことを特徴とする請求項５記載の平面表示装置。
【請求項７】
前記外装キャビネットの飾り桟において、前記第１部材の反射面を金属により形成したことを特徴とする請求項５記載の平面表示装置。
【請求項８】
前記外装キャビネットの飾り桟において、第２部材と第３部材とを押出し成形により形成し、かつ前記押出し成形品と反射面を有する第１部材とは、飾り桟の幅方向において肉厚が連続的に変化する形状としたことを特徴とする請求項５記載の平面表示装置。
【発明の詳細な説明】
【技術分野】
【０００１】
本発明は、プラズマディスプレイパネルや液晶ディスプレイパネル等を表示デバイスとして用いた平面表示装置に関し、より特定的には、平面表示装置の外装キャビネットを安価かつ、デザイン性を低下させることなく形成するための技術に関する。
【背景技術】
【０００２】
近年、プラズマディスプレイパネルや液晶パネル等を表示デバイスとして用いた平面表示装置が一般に広く普及している。中でもプラズマディスプレイパネルは、大別してＡＣ駆動型とＤＣ駆動型があり、また面放電型と対向放電型の２種類の放電形式がある。高精細化、大画面化、及び製造の簡便性の観点から、現状では３電極構造の面放電型のプラズマディスプレイパネルが主流になっている。
【０００３】
面放電型のプラズマディスプレイパネルは、少なくとも前面側が透明な一対の基板を、基板間に放電空間が形成されるように対向配置するとともに、放電空間を複数に仕切るための隔壁を基板内に配置している。さらに、隔壁により仕切られた放電空間毎に放電が発生するように基板に電極群を配置するとともに、放電により赤色、緑色、及び青色に発光する各々の蛍光体を放電空間毎に設けて、赤色用、緑色用、及び青色用の各放電セルを規則的に配置している。そして動作時には、放電により発生する波長の短い真空紫外光によって各々の蛍光体が励起され、赤色用、緑色用、及び青色用の任意の放電セルからそれぞれ赤色、緑色、及び青色の可視光を発することによりカラー表示を行っている。
【０００４】
このようなプラズマディスプレイパネルを用いたプラズマディスプレイ装置は、液晶パネルを用いた液晶表示装置に比べて、高速の表示が可能であり、視野角が広く、大型化が容易であり、かつ自発光型であるため表示品質が高いなどの理由から、最近特に注目を集めており、主に多くの人が集まる場所における大画面の表示装置や、家庭において家族みんなで楽しむためのメインの表示装置として、各種の用途に使用されている。
【０００５】
プラズマディスプレイ装置においては、ガラスが主成分のパネルを、アルミニウムなどの金属製のシャーシ部材の前面側に保持させ、そのシャーシ部材の背面側に、パネルを発光させるための駆動回路を構成する回路基板を配置することにより、モジュールを構成している（特許文献１参照）。
【０００６】
一方、従来の平面表示装置において、４分割して裏面側で合わせる組み立てタイプの外装キャビネットが開示されている（特許文献２参照）。この外装キャビネットは、射出成形金型の製作費用を削減する目的で考案されたものであり、２色の射出成形品ではないが、分割された金型のそれぞれに２色の溶融樹脂を注入することによってグラデーション効果を出すことが可能である。
【先行技術文献】
【特許文献】
【０００７】
【特許文献１】特開２００５−３３１５５６号公報
【特許文献２】特開２００９−２６７５７５号公報
【発明の概要】
【発明が解決しようとする課題】
【０００８】
本発明はこのような平面表示装置において、デザイン性を向上させた外装キャビネットを提供することを目的とする。
【課題を解決するための手段】
【０００９】
このような目的を達成するために本発明の平面表示装置は、枠体形状の外装キャビネットを有する平面表示装置であって、外装キャビネットの少なくとも一辺の枠部は、光を反射する反射面を有する第１部材上に、光を透過する第２部材とこの第２部材より屈折率が小さい第３部材とを順次積層した飾り桟を有し、かつ前記飾り桟の第２部材の端面に対向する部分に光を発生する発光ユニットを設けたことを特徴とする。
【００１０】
また、本発明は、枠体形状の外装キャビネットを有する平面表示装置であって、外装キャビネットは、押出し成形により形成した枠部と、この枠部を結合するコーナー部とで構成し、前記枠部のうち少なくとも一辺の枠部は、光を反射する反射面を有する第１部材上に、光を透過する第２部材とこの第２部材より屈折率が小さい第３部材とを順次積層した飾り桟を有し、かつ前記飾り桟の第２部材の端面に対向するコーナー部に光を発生する発光ユニットを配置したことを特徴とする。
【発明の効果】
【００１１】
本発明によれば、外装キャビネットの少なくとも一辺の枠部は、光を反射する反射面を有する第１部材上に、光を透過する第２部材とこの第２部材より屈折率が小さい第３部材とを順次積層した飾り桟を有し、前記飾り桟の第２部材の端面に対向する部分に光を発生する発光ユニットを設けたことにより、例えば平面表示装置の電源がオンされたときに、飾り桟に光のラインを表示させることができ、デザイン性に優れた製品とすることができるとともに、平面表示装置の動作状態の視認性を高めることができる。しかも、光を反射する反射面を有する第１部材上に、光を透過する第２部材とこの第２部材より屈折率が小さい第３部材とを順次積層した飾り桟を設けているため、発光ユニットから発生する光は、第１部材の反射面と第３部材との間で反射を繰り返しながら、第３部材を透過して前面に出射されることから、光が到達する長さを長くすることができる。
【図面の簡単な説明】
【００１２】
【図１】本発明の一実施の形態において、液晶表示装置の外観を示す正面図
【図２】同液晶表示装置において、スタンドを取り外した状態を示す斜視図
【図３】同液晶表示装置の全体構成の回路ブロックを示すブロック図
【図４】同液晶表示装置の回路ブロックの配置例を説明するためにバックキャビネットを取り除いて示す平面図
【図５】本発明によるフロントキャビネットの概略構成を示す平面図
【図６】フロントキャビネットの下部の一辺の枠部を示す斜視図
【図７】同じく断面図
【図８】飾り桟における機能を説明するための説明図
【図９】飾り桟の他の例を示す斜視図
【図１０】飾り桟の他の例を示す斜視図
【図１１】飾り桟の他の例を示す平面図
【図１２】フロントキャビネットの他の例を示す分解斜視図
【発明を実施するための形態】
【００１３】
以下、本発明の一実施の形態による平面表示装置について、液晶表示装置を例にとって図面を参照しながら説明する。
【００１４】
図１、図２は本発明の一実施の形態において、完成品である液晶表示装置の外観を示す図、図３は同液晶表示装置の全体構成の回路ブロックを示す図、図４は同液晶表示装置の回路ブロックの配置例を説明するためにバックキャビネットを取り除いて示す図である。
【００１５】
まず、図１、図２に示すように、表示装置本体１と、この表示装置本体１を立てた状態で保持するスタンド２とを有している。表示装置本体１は、平面型表示パネルである液晶表示パネル３とバックライト装置４とからなる表示モジュールを樹脂成型品などからなる外装キャビネット５内に収容することにより構成されている。また、外装キャビネット５は、液晶表示パネル３の画像表示領域に対応するように開口部６ａを設けた枠体形状のフロントキャビネット６と、このフロントキャビネット６と組み合わせられるバックキャビネット７とから構成されている。なお、６ｂはスピーカの音を外部に放出するためのスピーカグリルである。
【００１６】
また、図３、図４に示すように、液晶表示装置全体の概略構成は、液晶表示パネル３に画像を表示する駆動回路を備えるとともに、バックライト装置４の点灯を制御する点灯制御回路を備えた信号処理回路ブロック８と、前記液晶表示パネル３、バックライト装置４および信号処理回路ブロック８に電源電圧を供給するための電源ブロック９と、テレビジョン放送を受信して前記信号処理回路ブロック８に受信信号を供給するチューナ１０と、音を出力するためのスピーカ１１とから構成され、前記信号処理回路ブロック８、電源ブロック９は、それぞれ回路基板に回路を構成する部品を搭載することにより構成されている。そして、前記信号処理回路ブロック８、電源ブロック９、チューナ１０などを搭載した回路基板は、バックライト装置４の背面とバックキャビネット７との間の空間に配置されるように取り付けられている。
【００１７】
なお、図３においては、スピーカを省略して示している。また、図４において、１２はＤＶＤプレーヤーなどの外部機器からの映像信号を液晶表示装置に入力するための外部信号入力端子で、信号処理回路ブロック８に搭載されている。
【００１８】
図５は本発明によるフロントキャビネットの概略構成を示す平面図、図６はフロントキャビネットの下部の一辺の枠部を示す斜視図、図７は同じく断面図である。
【００１９】
図５〜図７に示すように、フロントキャビネット６の下部の一辺の枠部２１は、枠部基板２１ａに飾り桟２２を取り付けるとともに、枠部基板２１ａの両端部に光を発光する発光ダイオード２３ａを備えた発光ユニット２３を配置した構造をしている。また、前記飾り桟２２は、光を反射する反射面２２ａを有する第１部材２２ｂ上に、光を透過する透明な樹脂からなる第２部材２２ｃとこの第２部材２２ｃより屈折率が小さい有色の透明な樹脂からなる第３部材２２ｄとを順次積層した構成であり、前記飾り桟２２の第２部材２２ｃの端面に対向する部分には、発光ユニット２３の発光ダイオード２３ａの発光面が設けられている。ここで、飾り桟２２の第１部材２２ｂは、全体をアルミニウムなどの金属で構成するか、または第１部材２２ｂは樹脂製とし、反射面２２ａにアルミニウムなどの金属粒子を塗布することにより、少なくとも反射面２２ａを金属により構成されている。
【００２０】
また、前記飾り桟２２において、第２部材２２ｃと第３部材２２ｄとは、２種類の樹脂を使用した押出し成形により形成することができる。
【００２１】
図８は、図５〜図７に示す構成の飾り桟における機能を説明するための図である。図８に示すように、フロントキャビネット６の下部の枠部２１においては、飾り桟２２と発光ユニット２３とを備えており、そして飾り桟２２は、光を反射する反射面２２ａを有する第１部材２２ｂ上に、光を透過する第２部材２２ｃとこの第２部材２２ｃより屈折率が小さい第３部材２２ｄとを順次積層した構成である。このため、発光ユニット２３の発光ダイオード２３ａから発生する光は、第１部材２２ｂの反射面２２ａで反射されて第３部材２２ｄの前面より出射される。このとき、第３部材２２ｄの屈折率が第２部材２２ｃに比べて小さいため、第３部材２２ｄに到達した光は、第３部材２２ｄの前面に向かって進行するとともに、一部は反射して第２部材２２ｃ内部に向かう光に分かれる。そして、第２部材２２ｃ側に戻った光は、再び第１部材２２ｂの反射面２２ａで反射され、第３部材２２ｄ側に向かうこととなり、上記光の放出と反射を繰り返す。このような光の放出と反射を繰り返しながら飾り桟２２内を光が進行することにより、発光ダイオード２３ａの光が到達する長さが長くなる。
【００２２】
ここで、図９に示すように、飾り桟２２において、第２部材２２ｃと第３部材２２ｄとを押出し成形により形成し、かつ前記押出し成形品と反射面２２ａを有する第１部材２２ｂとは、飾り桟２２の幅方向において肉厚が連続的に変化する形状としている。また、図９においては、第２部材２２ｃは、第１部材２２ｂとほぼ同じ程度の幅を持つ断面形状としている。
【００２３】
このように押出し成形品と反射面２２ａを有する第１部材２２ｂとは、飾り桟２２の幅方向において肉厚が連続的に変化する形状とすることにより、飾り桟２２を第３部材２２ｄの前面側から見たとき、グラデーション効果による表現が可能となる。例えば、透明な樹脂からなる第２部材２２ｃの厚みが反射面２２ａを有する第１部材２２ｂよりも厚いＡ部分では、反射面２２ａが深い位置にあるため、反射される光が少なくなって暗くなり、逆に第２部材２２ｃの厚みが薄いＢ部分では、反射面２２ａが浅い位置にあるため、反射される光が多くなって明るくなる。さらに、第２部材２２ｃの樹脂が有色の透明樹脂であれば、グラデーション効果による表現がより鮮明になる。また、斜め方向から見ても、グラデーション効果を出すときは、飾り桟２２の側面にも上記と同様な肉厚の変化を持たせればよい。
【００２４】
図１０は本発明において、飾り桟の他の例を示す図である。図１０に示す例においては、Ｌ字形状の飾り桟２４を用いたものである。この飾り桟２４は、凹凸形状の反射面２４ａを有するＬ字形状で金属製の第１部材２４ｂを有し、第１部材２４ｂの凹凸の反射面２４ａに、光を透過する樹脂からなる第２部材２４ｃと、この第２部材２４ｃより屈折率が小さい平板形状の第３部材２４ｄとを順次積層することにより構成されている。また、飾り桟２４の第１部材２４ｂにおいて、枠部２１に取り付けられる面には、複数の突起２４ｅが設けられているとともに、枠部２１の枠部基板２１ａには、前記突起２４ｅが挿入される穴２１ｂが設けられている。
【００２５】
この図１０に示す飾り桟２４を用いることにより、フロントキャビネット６の下部に、図１１に示すように、第１部材２４ｂの凹凸の反射面２４ａにより、複数本の光のライン２５を表現することができ、デザイン性を向上させることが可能となる。
【００２６】
図１２は本発明において、フロントキャビネットの他の例を示す分解斜視図である。
【００２７】
図１２に示す例においては、表示装置本体１には、フロントキャビネット６をネジにより固定するために用いる取り付け穴１ａを設けている。フロントキャビネット６は、押出し成形により形成した枠部２６、２７と、この枠部２６、２７を結合するコーナー部２８とで構成し、前記枠部２６、２７のうち下部の一辺の枠部２６は、図５〜図７に示す枠部２１を用いたものである。
【００２８】
すなわち、下部の枠部２１について、光を反射する反射面２２ａを有する第１部材２２ｂ上に、光を透過する第２部材２２ｃとこの第２部材２２ｃより屈折率が小さい第３部材２２ｄとを順次積層した飾り桟２２を有し、かつ前記飾り桟２２の第２部材２２ｃの端面に対向するコーナー部２８に光を発生する発光ユニット２３（図１２には図示せず）を配置したものである。
【００２９】
以上のように本発明は、外装キャビネット５を構成するフロントキャビネット６の少なくとも一辺の枠部２１は、光を反射する反射面２２ａを有する第１部材２２ｂ上に、光を透過する第２部材２２ｃとこの第２部材２２ｃより屈折率が小さい第３部材２２ｄとを順次積層した飾り桟２２を有し、かつ前記飾り桟２２の第２部材２２ｃの端面に対向する部分に光を発生する発光ユニット２３を設けたものであり、例えば平面表示装置の電源がオンされたときに、飾り桟に光のラインを表示させることができ、デザイン性に優れた製品とすることができるとともに、平面表示装置の動作状態の視認性を高めることができる。しかも、光を反射する反射面２２ａを有する第１部材２２ｂ上に、光を透過する第２部材２２ｃとこの第２部材２２ｃより屈折率が小さい第３部材２２ｄとを順次積層した飾り桟２２を設けているため、発光ユニット２３から発生する光は、第１部材２２ｂの反射面２２ａと第３部材２２ｄとの間で反射を繰り返しながら、第３部材２２ｄを透過して前面に出射されることから、光が到達する長さを長くすることができ、より視認性を高めることができる。
【産業上の利用可能性】
【００３０】
以上のように本発明は、平面表示装置のデザイン性を高める上で有用な発明である。
【符号の説明】
【００３１】
１  表示装置本体
５  外装キャビネット
６  フロントキャビネット
２１、２６、２７  枠部
２２、２４  飾り桟
２２ａ、２４ａ  反射面
２２ｂ、２４ｂ  第１部材
２２ｃ、２４ｃ  第２部材
２２ｄ、２４ｄ  第３部材
２３  発光ユニット
２８  コーナー部
【図１】
0005408152.tif 000002
【図２】
0005408152.tif 000003
【図３】
0005408152.tif 000004
【図４】
0005408152.tif 000005
【図５】
0005408152.tif 000006
【図６】
0005408152.tif 000007
【図７】
0005408152.tif 000008
【図８】
0005408152.tif 000009
【図９】
0005408152.tif 000010
【図１０】
0005408152.tif 000011
【図１１】
0005408152.tif 000012
【図１２】
0005408152.tif 000013